(57)【要約】      （修正有）【課題】使用用途、季節、その日の服装や気分により、バッグの模様とデザインが簡単で自由に変化できる、個性豊かなバッグを提供する。【解決手段】メインバッグと着せ替え用カバーを備えると共に、メインバッグと着せ替え用カバーのそれぞれに前後左右合わせて少なくとも三箇所の留め具を備え、メインバッグの留め具と着せ替え用カバーの留め具とを留め合わせることにより、着せ替え用カバーをメインバッグに装着可能とする。【選択図】図１
0003180512.tif 000002
【実用新案登録請求の範囲】
【請求項１】
メインバッグに様々な生地で加工したカバーを着せ替えることにより、バッグの模様を変化可能としたことを特徴としたバッグ。
【請求項２】
着せ替え用カバーに使用する生地の種類だけではなく、カバーのデザインも自由に変化可能としたことを特徴としたバッグ。
【請求項３】
着せ替え用カバーをメインバッグにしっかり固定するために、メインバッグとカバーにそれぞれ対応する留め具が必要としたことを特徴としたバッグ。
【請求項４】
前記着せ替え用カバーは使用者の服装に合わせした生地やデザイン（服装と同じ生地、服装と似たデザインなど）にすれば、使用者全身のファッションが統一できる、請求１〜３のいずれかに記載のバッグ。
【考案の詳細な説明】
【技術分野】
【０００１】  本考案は、使用者の使用用途、季節、その日の服装や気分により、メインバッグに様々なカバーを着せ替えることにより、バッグの模様とデザインが簡単で自由に変化できる、個性豊かなバッグに関するものである。
【背景技術】
【０００２】  バッグ表面の模様は通常は変化できない物、しかし近年では、個性的なバッグを持ちたいという需要があり、バッグが付属品の少しの工夫により何通りかのデザインに変化をさせたり出来るようなアイデアを加えられるような商品が望まれる傾向にあります。特許文献１のバッグが知られている。この特許文献１のバッグは、透視可能な素材で本体と内袋を構成させ、透視可能な部分に装飾用素材を収容することによりバッグ本体の模様を変化させている。しかしながら、装飾素材の模様が外から見えるが、装飾素材の風合いは感じることができない。【０００３】  立体的な模様変化を実現したバッグとして、バッグの表面に装飾窓を設けたバッグが考案されている（特許文献２）。バッグ本体の表面には開口部を設け、様々な生地をバッグの内側から開口部に填めることにより、バッグ本体の一部生地の模様が変更することが実現できた、しかしこの開口部を加工することによりバッグ全体の加工工程は複雑になり、商品化を考えると不経済である。また特許文献２に記載されたバッグは開口部の模様だけが変化できたが、バッグ全体の模様が変えることが出来ない。【０００４】  メインバッグに接続部材を付け、各種な色、素材、模様のサブバッグをメインバッグに掛けることによりバッグのデザインが自由に変更できるバッグ（特許文献３）。しかしいくつかのサブバッグをメインバッグに付けることにより、メインバッグに重量がかかり、メインバッグの形は崩れる可能性が高くなる、また容量が小さいサブバッグをいくつもメインバッグに付ける必要性がないと考えられる。
【先行技術文献】
【特許文献】
【０００５】
【特許文献１】特開２００５−２７１９６１号  公報
【特許文献２】実用新案登録第３１６１８０１号  公報
【特許文献３】実用新案登録第３１１０５９７号  公報
【考案の概要】
【考案が解決しようとする課題】
【０００６】  本考案で解決しようとする課題は、使用者の使用用途、季節、その日の服装や気分によりバッグの模様とデザインが簡単で自由に変化できる、個性豊かなバッグを提供することである。
【課題を解決するための手段】
【０００７】  上記課題の解決手段としては、メインバッグに様々なカバーを着せ替えることにより、バッグの模様とデザインを変化させる。
【考案の効果】
【０００８】  本考案は、使用者の使用用途、季節、その日の服装や気分により、メインバッグに様々なカバーを着せ替えることにより、バッグの模様とデザインが簡単で自由に変化できる、個性豊かなバッグを提供することである。
【図面の簡単な説明】
【０００９】
【図１】  （ａ）実施例１を示す着せ替え用カバーが装着されているバッグの正面図である。（ｂ）実施例１を示す着せ替え用カバーをメインバッグに装着方法についての説明図である。（ｃ）実施例１を示メインバッグの正面図である。（ｄ）実施例１を示メインバッグの背面図である。（ｅ）実施例１を示着せ替え用カバーの裏面の構造図である。
【図２】  （ａ）実施例２を示す着せ替え用カバーが装着されているバッグの正面図である。（ｂ）実施例２を示す着せ替え用カバーをメインバッグに装着方法についての説明図である。（ｃ）実施例２を示メインバッグの正面図である。（ｄ）実施例２を示メインバッグの背面図である。（ｅ）実施例２を示着せ替え用カバーの裏面の構造図である。
【図３】  （ａ）実施例３を示す着せ替え用カバーをメインバッグに装着方法についての説明図である。（ｂ）実施例３を示すメインバッグの背面図である。（ｃ）実施例３を示す着せ替え用カバーの裏面の構造図である。
【図４】  （ａ）動物の毛皮で加工したカバーである。（ｂ）ボタンを締め具とした前開きタイプのカバーである。（ｃ）オリジナル刺繍やプリントをされた生地で加工したカバーである。（ｄ）背面にポケット付の着せ替え用カバーである。
【図５】  （ａ）洋服と同じ生地で加工したカバーが装着されたバッグと洋服のコーディネーション図である。（ｂ）洋服を似たデザインにしたカバーが装着されたバッグと洋服のコーディネーション図である。
【考案を実施するための形態】
【００１０】  本考案のバッグについて、図面に基づいて説明する。
【実施例１】
【００１１】  以下に、本考案のバッグの主要構成であるメインバッグと着せ替え用カバーについて詳述する。
着せ替え用カバーをメインバッグに装着できるように、メインバッグとカバーにそれぞれ特別な仕掛けが必要となる。
図１の（ｃ）、（ｄ）に示すようにメインバッグａの側面にベルトｃ、背面にベルトｄを付け、図１の（ｅ）に示すよう着せ替え用カバーｂに前記ベルトｃとｄにそれぞれに対応するベルト通しｈとｉを付ける。
図１の（ｂ）に示すように、まず、メインバッグにあるベルトｃとｄを着せ替え用カバーにあるベルト通しｈとｉに一回通す（ｃを水平矢印の方向にｈに通す、ｄを垂直矢印の方向にｉに通す）、カバーをメインバッグにしっかり留めるように、第二歩、側面のベルトｃをメインバッグの正面にあるベルト通しｅにもう一度通す、第三歩、前記ベルトｃとベルトｄにある留め具ｆをそれぞれに対応する留め具ｇにしっかり留める。最後、着せ替え用カバーｂの両端にある締め具ｊ（ファスナーなど）を締めることにより着せ替え用カバーをメインバッグに装着できた。
【実施例２】
【００１２】  実施例１を示したのは立体的なバッグ（側面のある）及び対応する着せ替え用カバーである。
図２は実施例２を示した平面的なバッグ（側面のない）及び対応する着せ替え用カバーである。
【実施例３】
【００１３】  実施例１と実施例２のメインバッグにあるベルトと着せ替え用カバーにあるベルト通しの替り、メインバッグと着せ替え用カバーにそれぞれに対応するボッタンなどの留め具を留めるとこにより、着せ替え用カバーをメインバッグに装着するのは実施例３を示したバッグである。
【実施例４】
【００１４】  着せ替え用カバーに使用する生地はバッグの使用者の使用用途、服装、季節、あるいはその日の気分に応じて様々な生地を使用することが可能です。
例えば、冬場に図４の（ａ）のような毛皮、ベルベット生地、ウール生地、ゴブラン生地などの厚い生地を使用することができる。夏場にシルク生地、ジョーゼット生地などの薄い素材、又は麻生などの天然素材を使用することも出来る。
【実施例５】
【００１５】  ファッションの流行やバッグを使用者の好みにより、着せ替え用カバーを様々なデザインにしてもよい。
例えば、図４の（ｂ）はボタンを締め具とした前開きタイプのカバーである、（ｃ）はオリジナル刺繍やプリントをされた生地で加工したカバーである。
【実施例６】
【００１６】  防水機能付きの生地（撥水加工をされた生地やビニール生地など）で加工した着せ替え用カバーをメインバッグに装着すると、バッグ本体の防水カバーをとして使用することもできる、雨の日には役に立つ。
【実施例７】
【００１７】  着せ替え用カバーはファッション性だけではなく、実用性の仕様も追加できる。図４の（ｃ）に示すように、着せ替え用カバーの後にポケットを付ければ、小物などの収納も可能です。
【実施例８】
【００１８】  洗える生地で着せ替え用カバーを加工すれば、カバーが汚れた場合、カバーを洗濯すればいつでも清潔な着せ替え用カバーをメインバッグに装着可能です。
【実施例９】
【００１９】  通常バッグの収納はある程度の広い空間が必要となる。着せ替え用カバーは折り畳められるので、折り畳めば狭い空間でも沢山収納することも可能である。
【実施例１０】
【００２０】  図５の（ａ）に示すように、着せ替え用カバーは洋服と同じ生地で加工すれば、使用者全身のファッションも統一出来る。
【実施例１１】
【００２１】  図５の（ｂ）に示すように、着せ替え用カバーは洋服と似たデザインにすれば、より使用者全身のファッションが統一出来る。
【符号の説明】
【００２２】ａ    メインバッグ
ｂ    実施例１と２を示した着せ替え用カバー
ｃ    実施例１と２を示したメインバッグの側面にある固定用ベルト
ｄ    実施例１と２を示したメインバッグの背面にある固定用ベルト
ｅ    実施例１と２を示したメインバッグの正面にあるベルト通し
ｆ    ベルトにある留め具（ボタンなど）
ｇ    前記留め具ｆに対応する、メインバッグ表面にある留め具（ボタンなど）
ｈ    着せ替え用カバーの裏面にあるメインバッグの側面に付きベルトｃを通す為のベルト通し
ｉ    着せ替え用カバーの裏面にあるメインバッグの背面に付きベルトｄを通す為のベルト通し
ｊ    前開きタイプの着せ替え用カバーの両端にある締め具（ファスナーなど）
ｋ    実施例３を示したメインバッグの側面にある留め具
ｌ    実施例３を示したメインバッグの正面にある留め具
ｍ    実施例３を示したメインバッグの背面にある留め具
ｎ    実施例３を示した着せ替え用カバーの裏面にある留め具（ｋに対応）
ｏ    実施例３を示した着せ替え用カバーの裏面にある留め具（ｌに対応）
ｐ    実施例３を示した着せ替え用カバーの裏面にある留め具（ｍに対応）
ｑ    着せ替え用カバーの後ろに付けたポケット
【図１】
0003180512.tif 000003
【図２】
0003180512.tif 000004
【図３】
0003180512.tif 000005
【図４】
0003180512.tif 000006
【図５】
0003180512.tif 000007
【手続補正書】
【提出日】平成24年8月1日(2012.8.1)
【手続補正１】
【補正対象書類名】実用新案登録請求の範囲
【補正対象項目名】全文
【補正方法】変更
【補正の内容】
【実用新案登録請求の範囲】
【請求項１】
メインバッグと着せ替え用カバーにある対応の留め装置を留めることにより着せ替え用カバーをメインバッグに装着が可能になる。又着せ替え用カバーをメインバッグに装着する時、着せ替え用カバーの安定を崩さないように、メインバッグの前後左右合わせて少なくても３か所に留め装置が必要であることを特徴とするバッグ。
【手続補正書】
【提出日】平成24年9月27日(2012.9.27)
【手続補正１】
【補正対象書類名】実用新案登録請求の範囲
【補正対象項目名】全文
【補正方法】変更
【補正の内容】
【実用新案登録請求の範囲】
【請求項１】
メインバッグと着せ替え用カバーを備えると共に、メインバッグと着せ替え用カバーのそれぞれに前後左右合わせて少なくとも三箇所の留め具を備え、メインバッグの留め具と着せ替え用カバーの留め具とを留め合わせることにより、着せ替え用カバーをメインバッグに装着可能としたことを特徴とするバッグ。